(57)【要約】【課題】光ディスク装置において、光ディスクの風切り音を、トレイの構造変更などを伴わずに低減可能な技術の提供。【解決手段】光ディスクの外周側平面部に対向しかつ待機状態にあるトレイの平面部に略連続した位置に、該光ディスクと略同心状の円弧を少なくとも内径部に有するシート部材を設け、該光ディスク外周側平面部における空気流の不連続点をなくし、トレイの平面部と上記シート部材の平面で空気流を連続的に案内する構成とする。【選択図】  図１
2004303286.tif 000002
【特許請求の範囲】
【請求項１】
トレイにより装置内に搬入した光ディスクを回転させ、情報の記録、再生のいずれか一方または両方を行う光ディスク装置であって、
装置内における上記光ディスクの外周側平面部に対向しかつ待機状態にある上記トレイの平面部に略連続する位置に、該光ディスクと略同心状の円弧を内径部に有するシート部材を備え、
上記光ディスクの回転により生ずる該光ディスクの回転方向の空気流を、上記シート部材の平面で案内する構成としたことを特徴とする光ディスク装置。
【請求項２】
トレイにより装置内に搬入した光ディスクを回転させ、情報の記録、再生のいずれか一方または両方を行う光ディスク装置であって、
装置内における上記光ディスクの外周側平面部に対向しかつ待機状態にある上記トレイの平面部に略連続する位置に、該光ディスクと略同心状の円弧を内径部に有しかつ外径部が該光ディスクの外径よりも外側に形成されたシート部材を備え、
上記光ディスクの回転により生ずる該光ディスクの回転方向の空気流を、上記シート部材の平面で案内する構成としたことを特徴とする光ディスク装置。
【請求項３】
トレイにより装置内に搬入した光ディスクを回転させ、情報の記録、再生のいずれか一方または両方を行う光ディスク装置であって、
装置内における上記光ディスクの外周側平面部に対向しかつ待機状態にある上記トレイの平面部内のリブに略連続する位置であって該リブと略同じ高さ位置に、該光ディスクと略同心状の円弧を内径部に有したシート部材を備え、
上記光ディスクの回転により生ずる該光ディスクの回転方向の空気流を、上記シート部材の平面で案内する構成としたことを特徴とする光ディスク装置。
【請求項４】
トレイにより装置内に搬入した光ディスクを回転させ、情報の記録、再生のいずれか一方または両方を行う光ディスク装置であって、
装置内における上記光ディスクの外周側平面部に対向しかつ待機状態にある上記トレイの平面部内のリブに略連続する位置であって該リブと略同じ高さ位置に、該光ディスクと略同心状の円弧を内径部に有しかつ外径部が該光ディスクの外径よりも外側に形成されたシート部材を備え、
上記光ディスクの回転により生ずる該光ディスクの回転方向の空気流を、上記シート部材の平面で案内する構成としたことを特徴とする光ディスク装置。
【請求項５】
上記シート部材は、上記光ディスクの外周側平面部に対向する平面内に、該光ディスクの回転軸方向の高さが低い第１の平面部と該高さが高い第２の平面部とを、該光ディスクの回転方向に対し該第１の平面部、該第２の平面部の順で備え、該両平面部間の段差に上記空気流による空気を衝突させる構成である請求項１から４のいずれかに記載の光ディスク装置。
【請求項６】
上記シート部材は、上記外径部にも上記光ディスクと略同心状の円弧を有する構成である請求項２から４のいずれかに記載の光ディスク装置。
【請求項７】
上記シート部材は、上記トレイの側面方向にあってボトムケース上に設けられる構成である請求項１から４のいずれかに記載の光ディスク装置。
【発明の詳細な説明】
【０００１】
【発明の属する技術分野】
本発明は、光ディスク装置における騒音低減化のための技術に関する。
【０００２】
【従来の技術】
本発明に関連し、ディスクの回転により発生する風切り音を低減させるための従来技術としては、例えば、特開２００１−４３６１３号公報（特許文献１）、特開２００２−２３０９３８号公報（特許文献２）、特開２００３−３６６６４号公報（特許文献３）及び特開２００３−５９２５１号公報（特許文献４）に記載されたものがある。特開２００１−４３６１３号公報には、トレイの平面部に切り欠き穴を設けるとともに、装置のトップケース側に、凹凸のパターンを有し吸音効果を有するシートを貼り付けた構成が記載され、特開２００２−２３０９３８号公報には、メインシャーシの傾斜側面部の隙間をテープで塞ぐ構成が記載され、特開２００３−３６６６４号公報には、ディスクの半径方向の空気流がケース外部に漏出するのをカバー部材で阻止する構成が記載され、特開２００３−５９２５１号公報には、トレイの受け皿の周辺部の全周にわたり、光ディスク面を超える高さの外周壁を設けた構成が記載されている。
【０００３】
【特許文献１】
特開２００１−４３６１３号公報
【特許文献２】
特開２００２−２３０９３８号公報
【特許文献３】
特開２００３−３６６６４号公報
【特許文献４】
特開２００３−５９２５１号公報
【０００４】
【発明が解決しようとする課題】
上記従来技術では、トレイの構造変更を伴ったり、ケース内の装置容積の増大化が必要となったりするおそれがある。
本発明の課題点は、上記従来技術の状況に鑑み、光ディスク装置において、光ディスクの回転による風切り音を、トレイの構造変更や、装置容積の増大を伴わずに低減可能にすることである。
本発明の目的は、かかる課題点を解決できる技術の提供にある。
【０００５】
【課題を解決するための手段】
上記課題点を解決するために、本発明では、基本的に、光ディスク装置として、光ディスクの外周側平面部に対向しかつ待機状態にあるトレイの平面部に略連続した位置に、該光ディスクと略同心状の円弧を少なくとも内径部に有するシート部材を設け、該光ディスク外周側平面部における空気流の不連続点をなくし、トレイの平面部と上記シート部材の平面で空気流を連続的に案内する構成とする。
具体的には、光ディスク装置として、
（１）装置内における光ディスクの外周側平面部に対向しかつ待機状態にあるトレイの平面部に略連続する位置に、該光ディスクと略同心状の円弧を内径部に有するシート部材を設け、光ディスクの回転により生ずる該光ディスクの回転方向の空気流を、該シート部材の平面で案内する構成とする。
（２）装置内における光ディスクの外周側平面部に対向しかつ待機状態にあるトレイの平面部に略連続する位置に、該光ディスクと略同心状の円弧を内径部に有しかつ外径部が該光ディスクの外径よりも外側に形成されたシート部材を設け、光ディスクの回転により生ずる該光ディスクの回転方向の空気流を、該シート部材の平面で案内する構成とする。
（３）装置内における光ディスクの外周側平面部に対向しかつ待機状態にあるトレイの平面部内のリブに略連続する位置であって該リブと略同じ高さ位置に、該光ディスクと略同心状の円弧を内径部に有したシート部材を設け、光ディスクの回転により生ずる該光ディスクの回転方向の空気流を、該シート部材の平面で案内する構成とする。
（４）装置内における光ディスクの外周側平面部に対向しかつ待機状態にあるトレイの平面部内のリブに略連続する位置であって該リブと略同じ高さ位置に、該光ディスクと略同心状の円弧を内径部に有しかつ外径部が該光ディスクの外径よりも外側に形成されたシート部材を設け、光ディスクの回転により生ずる該光ディスクの回転方向の空気流を該シート部材の平面で案内する構成とする。
【０００６】
【発明の実施の形態】
以下、本発明の実施例につき、図面を用いて説明する。
図１〜図３は、本発明の光ディスク装置の実施例の説明図である。図１は本発明の第１の実施例としての光ディスク装置の構成例図、図２は、図１の光ディスク装置におけるボトムケースの内面部を示す図で、（ａ）は本発明の第１の実施例としての光ディスク装置の内部構成図、（ｂ）は（ａ）の構成のＡ−Ａ断面図、図３は、本発明の第２の実施例としての光ディスク装置のボトムケースの内面部を示す図である。
【０００７】
図１において、１は、光ディスク装置に装着された光ディスク、２は、装置筐体を構成するボトムケース、３は、光ディスク１を、装置内に搬入したり、装置外に搬出したりするためのトレイ、４は、光ディスク１が装着されるターンテーブル、５はターンテーブル４を回転駆動するためのスピンドルモータ、６は光ピックアップと該光ピックアップが搭載された移動体、１１ａは、光ディスク１の回転により発生する空気流を案内するためのシート状の部材（以下、シート部材という）、１５は、トレイ３の光ディスクの外周縁部分に対応する部分に設けられたリブである。
【０００８】
また、図２において、２ａは、ボトムケース２の第１の部分、２ｂは該第１の部分２ａの側方に設けられたボトムケース２の第２の部分、１１ａはシート部材、３０は、スピンドルモータ５や光ピックアップなどを駆動する駆動回路等が搭載された装置基板、３１は、装置基板３０上に搭載されたＬＳＩである。ボトムケース２の第１の部分２ａと第２の部分２ｂとは、平面が互いに段差をもって形成されている。トレイ３は、ボトムケース２の第１の部分２ａに設けたレールで案内され、図１のＡ−Ａ方向に直角な方向に移動し、光ディスク１を装置に対して搬入したり搬出したりする。
【０００９】
トレイ３のリブ１５は、該トレイ３の光ディスク載置用凹部平面の外周部に円弧状の凸状帯として形成され、光ディスク１が傾いた場合に該光ディスクの外周縁に当接して該光ディスクを支持する。シート部材１１ａは、ボトムケース２の第２の部分２ｂの平面部に固定される。該シート部材１１ａは、略円弧状の全体形状を有し、内径部が円弧状とされ、外径部にも円弧状の部分を有し、光ディスク装置内において待機状態にあるトレイ３に対し、該トレイ３のリブ１５に略連続する位置であって該リブ１５と略同じ高さ位置にその平面部（シート部材１１ａの平面部）が来るように配され、かつ、ターンテーブル４に装着された光ディスク１に対しては、該平面部が、該光ディスク１の外周側平面部に対向し、上記内径部が該光ディスク１と略同心状とされ、かつ該シート部材１１ａの外径部が該光ディスク１の外径よりも外側に形成され、該シート部材１１ａの上記平面部内に該光ディスク１の外径部が位置するようにされる。本第１の実施例では、外径部の上記円弧状部分も、内径部と同様、光ディスク１と略同心状とされている。
【００１０】
上記構成において、記録または再生モードにおいて、スピンドルモータ５によりターンテーブル４が回転駆動され、光ディスク１が所定速度で回転駆動されると、該光ディスク１の回転に起因して、光ディスク１とトレイ３との間や、該光ディスク１とシート部材１１ａとの間に、該光ディスクの回転方向と略同じ方向の空気流が発生する。特に、光ディスク１の外周側平面部とトレイ３との間に形成される第１の空気流路と、光ディスク１の外周側平面部とシート部材１１ａとの間に形成される第２の空気流路とにおいては、それぞれの空気流がほぼ同じ状態の滑らかな空気流を形成するとともに、該第１の空気流路から該第２の空気流路への遷移部や、該第２の空気流路から該第１の空気流路への遷移部においても滑らかな連続的な流れを形成する。上記第１の空気流路内、第２の空気流路内、及び該第１、第２の空気流路相互間での滑らかな空気流は、光ディスクの風切り音を抑え、光ディスク装置としての騒音を低減化する。シート部材１１ａは、ゴム、プラスチック材または金属などで形成してもよい。
上記第１の実施例によれば、上記のように、光ディスクの風切り音が抑えられ、光ディスク装置の騒音を低減化させることができる。
【００１１】
図３は、本発明の第２の実施例としての光ディスク装置におけるボトムケースの内面部を示す図である。本第２の実施例の基本的な装置構成は、シート部材の構成が異なる以外は上記図１に示す第１の実施例の構成と同じであるとする。以下、図３に記載されない装置構成要素については、図１の符号を用いて説明する。
図３において、２ａは、ボトムケース２の第１の部分、２ｂは該ボトムケース２の第２の部分、１１ｂはシート部材、１１ｂ１はシート部材１１ｂの第１の平面部、１１ｂ２はシート部材１１ｂの第２の平面部、１１ｃは、第１の平面部１１ｂ１と第２の平面部１１ｂ２との間の段差部、３０は装置基板、３１はＬＳＩである。シート部材１１ｂの構成が、上記第１の実施例におけるシート部材１１ａと異なる以外は、上記図２の構成と同じである。シート部材１１ｂは、略円弧状の全体形状を有し、内径部が円弧状とされ、外径部にも円弧状の部分を有し、光ディスク装置内において待機状態にあるトレイ３に対し、該トレイ３のリブ１５に略連続する位置であって上記第１の平面部１１ｂ１が該リブ１５と略同じ高さ位置にまた上記第２の平面部１１ｂ２が該リブ１５よりも上記段差の分だけ高い位置に来るように配され、かつ、ターンテーブル４に装着された光ディスク１に対しては、上記第１、第２の平面部がそれぞれ、該光ディスク１の外周側平面部に対向し、上記内径部が該光ディスク１と略同心状とされ、かつ該シート部材１１ｂの外径部が該光ディスク１の外径よりも外側に形成され、該シート部材１１ｂの上記両平面部内に該光ディスク１の外径部が位置するようにされる。本第２の実施例においても、外径部の上記円弧状部分も、内径部と同様、光ディスク１と略同心状とされている。
【００１２】
上記図３の構成において、記録または再生モードにおいて、光ディスク１が所定速度で回転駆動されると、光ディスク１とトレイ３との間や、該光ディスク１とシート部材１１ｂとの間に、該光ディスクの回転方向と略同じ方向の空気流が発生し、光ディスク１の外周側平面部とトレイ３との間に形成される第１の空気流路と、光ディスク１の外周側平面部とシート部材１１ｂとの間に形成される第２の空気流路とにおいても、それぞれの流路状態に応じた空気流が形成される。すなわち、上記第１の空気流路内、該第１の空気流路から該第２の空気流路への遷移部、及び該第２の空気流路から該第１の空気流路への遷移部においては滑らかな連続的な流れが形成されるが、上記第２の空気流路内にでは、上記段差部１１ｃにおいて、空気流に乱される。該空気流の乱れは該部における空気圧を増大させ、光ディスク１の回転固有振動の振幅を低減させるように作用する。上記第１の空気流路内、上記第２の空気流路内のシート部材１１ｂの第２の平面部１１ｂ２及び上記第１、第２の空気流路相互間（遷移部）での滑らかな空気流は、上記第１の実施例の場合と同様、光ディスク１の風切り音を抑え、光ディスク装置としての騒音を低減化するし、また、シート部材１１ｃによる空気流の乱れに基づく光ディスク１の回転固有振動の振幅低減によっても、光ディスク装置としての騒音が低減化される。本第２の実施例においても、シート部材１１ｂは、ゴム、プラスチック材または金属などで形成してもよい。また、シート部材１１ｂは、複数の部材を組合わせて構成してもよいし、一体状に形成してもよい。また、段差部１１ｃの位置もシート部材１１ｂ上で適宜設定してもよいし、段差部１１ｃの数も１個に限定されない。
上記第２の実施例によれば、上記のように、光ディスクの風切り音が抑えられるとともに、光ディスク１の回転固有振動の振幅も低減化でき、光ディスク装置全体の騒音を減らすことができる。
【００１３】
【発明の効果】
本発明によれば、光ディスク装置において、光ディスクの風切り音が抑えられ、光ディスク装置の騒音を減らすことができる。
【図面の簡単な説明】
【図１】本発明の第１の実施例としての光ディスク装置の構成を示す図である。
【図２】図１の光ディスク装置におけるボトムケースの内面部を示す図である。
【図３】本発明の第２の実施例としての光ディスク装置におけるボトムケースの内面部を示す図である。
【符号の説明】
１…光ディスク、  ２…ボトムケース、  ３…トレイ、  ４…ターンテーブル、  ５…スピンドルモータ、  ６…移動体、  １１ａ、１１ｂ…シート部材、  １１ｃ…段差部、  １５…リブ、  ２ａ…ボトムケースの第１の部分、  ２ｂ…ボトムケースの第２の部分、  ３０…装置基板、  ３１…ＬＳＩ。
【図１】
2004303286.tif 000003
【図２】
2004303286.tif 000004
【図３】
2004303286.tif 000005